(57)【要約】【課題】法要、法事の参列者が容易に参集でき、かつ設備内で会食、ショッピング、リラクゼーションを楽しむことができる法要、法事用ビル設備を提供する。【解決手段】法要・法事用ビル設備は、会員のみが設備利用可能な法要・法事用祭壇室と、前記設備利用予約情報が登録された登録装置と、前記登録装置と通信し前記会員を含む参列者を確認する入館受付設備と、種々の商品、サービスを展示販売する複数の店舗とを備えている。【選択図】図１
2018145667.tif 000002
【特許請求の範囲】
【請求項１】
会員のみが設備利用可能な法要・法事用祭壇室と、
前記設備利用予約情報が登録された登録装置と、
前記登録装置と通信し前記会員を含む参列者を確認する入館受付設備と、
種々の商品、サービスを展示販売する複数の店舗とを備えていることを特徴とする法要・法事用ビル設備。
【請求項２】
前記入館受付設備には、前記会員のＩＤを確認して入館記録する受付装置が設けれ、かつ
前記複数の店舗には、前記会員のＩＤを確認して商品、サービス購入を記録する取引記録装置が設けられていることを特徴とする請求項１に記載の法要・法事用ビル設備。
【請求項３】
前記会員は、所定店舗からの商品、サービスの購入によってポイントが付与され、
前記店舗の一部は、前記ポイントと商品、サービスとの交換を許容しており、前記取引記録装置によってポイント交換を記録することを特徴とする請求項２に記載の法要・法事用ビル設備。
【請求項４】
前記会員に対する前記ポイントの貸付及び返済規則が定められており、
前記入館受付設備には、前記会員のＩＤを確認して前記ポイントを貸し付けるポイント貸付装置が設けられていることを特徴とする請求項３に記載の法要・法事用ビル設備。
【請求項５】
前記複数の店舗の一部は、宿泊所又は浴場であることを特徴とする請求項１乃至４のいずれか一項に記載の法要・法事用ビル設備。
【請求項６】
前記会員のみが納骨可能な納骨堂を更に備えていることを特徴とする請求項１乃至５のいずれか一項に記載の法要・法事用ビル設備。
【発明の詳細な説明】
【技術分野】
【０００１】
本発明は、ビル内に法要・法事用祭壇室が設けられたビル設備に関する。
【背景技術】
【０００２】
近時、都市部では、会場確保等の問題があって、法要、法事を手軽に行うことが難しくなっている。そのような事情から、納骨堂等に法要、法事用の設備等が設けられていることが多い。例えば次の特許文献には法要に対応した納骨堂の管理システムが記載されている。
【先行技術文献】
【特許文献】
【０００３】
【特許文献１】特開2000-320190号公報
【発明の概要】
【発明が解決しようとする課題】
【０００４】
しかしながら納骨堂、墓地等の経営は都道府県知事の許可が必要であり、都心、主要駅前等の利便な場所に納骨堂を立地させることは非常に難しく、そのため郊外等に立地されちる例が多い。ところが郊外は都心部等に比べて交通が不便であるため、法要、法事の参列に支障をきたすおそれがある。またそのような場所では周囲に店舗等も少ないため、法要、法事の参列者は長時間無為に過ごさなくてはならない問題もある。本発明は、このような問題を解決することを目的としたものである。
【課題を解決するための手段】
【０００５】
本発明による法要・法事用ビル設備は、会員のみが設備利用可能な法要・法事用祭壇室と、前記設備利用予約情報が登録された登録装置と、前記登録装置と通信し前記会員を含む参列者を確認する入館受付設備と、種々の商品、サービスを展示販売する複数の店舗とを備えていることを特徴とする。
【発明の効果】
【０００６】
本発明よる法要、法事用ビル設備は、納骨堂、墓地とは違って都心、主要駅前等の利便な場所に立地することが容易であり、会員や参列者の参集が容易である、更に会員や参列者は、ビル設備から出ることなく、会食、ショッピング、リラクゼーションを楽しむことができる。
【図面の簡単な説明】
【０００７】
【図１】本発明に係る法要・法事用ビル設備の概略構成図である。
【図２】法要・法事用祭壇室に設置される祭壇の一例の正面図である。
【発明を実施するための形態】
【０００８】
図１は、本発明に係る法要・法事用ビル設備の概略構成図である。
法要・法事用ビル設備は都心、主要駅前等の利便な場所に建てられた多層階のビル設備を想定している。ビル設備には、会員のみが設備利用可能な法要・法事用祭壇室と、法要・法事用祭壇室の設備利用予約情報が登録された登録装置と、登録装置と通信し会員を含む参列者を確認する入館受付設備と、種々の商品、サービスを展示販売する複数の店舗とを備えている。またソファーセット等の休憩設備も備えている。
【０００９】
祭壇室は、宗派を問わないような形態の祭壇を設けるとよい。また祭壇室に付属させて参列者の控室も設けるとよい。会員は、永代供養料等、年毎あるいは月毎の維持費も含めて所定費用を支払うことによってそのグレードの祭壇室を設備利用が可能になる。祭壇室は、複数の会員によって共同利用される。すなわち一つの祭壇室に対して複数の会員が割り当てられる。祭壇室は複数の会員によって共同所有されるようにしてもよい。この場合、会員当たりの費用は、例えばグレードに応じて５０万円、１００万円、２００万円等に設定するとよい。
【００１０】
登録装置は、ビル設備運営会社サーバー装置等で構成される。登録装置は、館内に設けてもよいし、他場所に設けてビル設備とネットワーク通信可能にしてもよい。登録装置には、会員の個人情報、ＩＤが登録されており、所定のホームページ等を介して会員の通信端末とネットワーク通信して、法要・法事用祭壇室の設備利用予約を受け付ける。予約希望が重複している場合の調整等も行う。
【００１１】
入館受付設備は、例えば受付カウンター等であって、会員のＩＤを確認して入館記録する受付装置が設けられている。受付装置は、会員カードの読取等によって会員ＩＤを確認して入館記録を行う。受付装置は、登録装置と通信することによって、その会員ＩＤで法要・法事用祭壇室の設備利用予約がなされていることを判断した場合は、その会員に対して法要・法事用祭壇室の設備利用を許可する。具体的には、法要・法事用祭壇室の入口扉の電気錠を解錠するようにしてもよいし、法要・法事用祭壇室のみが設けられたフロアーに対するエレベーターの行き先ボタンを有効化してもよい。
【００１２】
店舗は、会員あるいは第三者に対してテナント募集してビル設備に入居させてもよい。会員に対してはその他一般よりも有利な条件を適用してもよい。また店舗はビル設備オーナーが自ら経営してもよい。店舗の種別は特に制限されない。例えばレストラン、カフェ、食品、コンビニ、本屋、仏具店、宝飾品、洋品店等が考えられる。更に、美容室、理容室、薬剤店、クリニック、鍼灸院、スポーツジム等を設けてもよい。更に、宿泊所、浴場を設けてもよい。宿泊所、浴場は、法要・法事が予定されてない日には、一般客に利用させてもよい。
【００１３】
店舗の各々には、会員のＩＤを確認して商品、サービス購入を記録する取引記録装置が設けられている。このような商品、サービスの購入記録に基づいて会員に様々なサービスを提供することが可能であり、また会員の購入頻度、好みを分析して、顧客の囲い込みにも利用できる。
【００１４】
会員は、ビル設備内の店舗、その他店舗、ネットワーク通信店舗等、所定店舗からの商品、サービスの購入によってポイントが付与されてもよい。ビル設備内の店舗では、取引記録装置によって、購入金額に応じたポイント付与を行うことが可能にしてもよい。またビル設備内の店舗の一部は、会員の保有するポイントと商品、サービスとの交換を許容してよい。そうしたとき、取引記録装置によってポイント交換を記録すればよい。
【００１５】
また会員に対するポイントの貸付及び返済規則が定められている場合、入館受付設備には、会員のＩＤを確認してポイントを貸し付けるポイント貸付装置を設けてもよい。このようなポイント貸付が可能であれば、ポイント不足のために希少な商品等が入手できないというような不満を会員に感じさせることがなくなる。
【００１６】
以上に説明した会員制の法要・法事用ビル設備では、会員に対して、会員のみが法要・法事用祭壇室を設備利用可能としているので利用予約が各自に行える、都心、主要駅前等の利便な場所にあるので会員や参列者の参集が容易である、更に会員や参列者は、ビル設備から出ることなく、会食、ショッピング、リラクゼーションを楽しむことができること等のメリットがある。またビル設備のオーナーに対しても、祭壇室を複数の会員によって共同所有されるように販売することで、不動産収益が得られ、更に店舗からテナント料も得られる等のメリットがある。また店舗に対しても、会員は先祖供養に熱心であると考えられ、会員及び参列者が法要や法事のためにビル設備に訪れ、その際に商品やサービスを購入するはずであるから、一般的な商業設備の店舗よりも安定的かつ持続的な収益が得られるというメリットがある。
【００１７】
ビル設備内には祭壇に対応した納骨堂を設けてもよい。納骨堂を設けた場合は、宗教法人もビル設備のオーナーになることができる。これは神社、仏閣などを維持する宗教法人の没落が顕著になっている近時において、大きな福音となる。ただしこの場合は、都道府県知事の許可が必要になる。
【００１８】
図２は、法要・法事用祭壇室に設置される祭壇の一例の正面図である。
祭壇は、焼香台、供物台、位牌台等を組み合わせて構成されている。祭壇の左右、背後にはそれぞれ衝立状の液晶ディスプレーが配置されている。位牌台には位牌が載置される。位牌は、会員がその都度持ち込んだものでもよいし、ビル設備内に預かり所に預けておいたものでもよい。背後の液晶ディスプレーの下辺部には家紋がはめ込まれているが、この家紋ははめ替え可能である。液晶ディスプレーには遺影画像、故人を偲ぶ画像等、所望の画像を表示できる。更に所望の楽曲、メッセージ等を方法するための音響設備を設けてもよい。祭壇をこのような構成とすれば、複数の会員に対応できる。
【図１】
2018145667.tif 000003
【図２】
2018145667.tif 000004